(57)【特許請求の範囲】
【請求項１】
枠体と、枠体内に左右方向に移動可能に収納した障子とを備え、枠体は、竪枠の内周側に突出片が設けてあり、障子は、戸先框に戸当りブロックが取付けてあり、戸当りブロックは、引き寄せ部と受け部を有し、引き寄せ部は、竪枠の突出片に当接して障子の戸先を室内側に引き寄せる傾斜面を有し且つ弾性力により室内外方向に変位自在であり、受け部は、竪枠の突出片の室内側面に隙間をあけて対向し且つ引き寄せ部が室内側に変位したときに突出片の室内側面を受けることを特徴とするサッシ。
【請求項２】
戸当りブロックは、受け部の戸尻側に突出片の室内側面と隙間をあけて対向する逃げ面を有することを特徴とする請求項１記載のサッシ。
【請求項３】
逃げ面は、竪枠に向かうにつれて室外側に向かう斜面であることを特徴とする請求項２記載のサッシ。
【発明の詳細な説明】
【技術分野】
【０００１】
本発明は、枠体内に左右方向に移動する障子を備えるサッシに関するものである。
【背景技術】
【０００２】
引き違いサッシの障子は、図１１に示すように、戸先框９０に硬質樹脂で形成した戸当りブロック９１が取付けてある。戸当りブロック９１は、竪枠９２に向かうにつれて次第に室内側に向かう傾斜面９３を有しており、障子９４を閉める際にその傾斜面９３が竪枠の突出片９５に当接して、障子の戸先が室内側に引き寄せられるようにしている。
引き違いサッシにおいては、室外側が負圧となって障子９４が室外側に加圧されると、障子全体が室外側に膨らむように変形する。このとき、図１１（ｂ）に示すように、障子９４が室外側に傾き、戸当りブロック９１の傾斜面９３に竪枠の突出片９５の先端が当たって押し付けられるので、戸当りブロック９１から竪枠の突出片９５に加えられる荷重Ｆが分散されて傾斜面９３に沿って戸先を障子面内方向に押す力ＦＸが生じるために、傾斜面９３に沿って突出片９５の先端が滑り、図中の点線矢印９６で示すように、戸先が障子面内方向に斜めに移動し、戸先が竪枠９２から外れ易くなるという問題がある。
【０００３】
特許文献１記載の引き違いサッシは、障子の戸先框に取付けた戸当たりピース５５に、室内外方向の突き当て面５６と、障子を閉める際に戸先を室内側に引き寄せるための斜状面５７との間に、突き当て面から斜状面に向かうにつれて次第に室外側に向かう斜面５８を形成し、障子が室外側に加圧されて戸先が室外側に傾いたときに、その斜面５８が竪枠のガイド突条３１と面接触することで戸先を障子面内方向に押す力が生ずるのを防止して、戸先が外れるのを防止している。
しかし、この戸当りピースは、障子の変形や戸先の傾きを抑えられるものではなく、障子が湾曲して戸先が室外側に傾けば、それに伴って戸先が障子面内方向に移動する。戸当りピースの前記斜面５８は、戸先を室内側に引き寄せるための斜状面５７と連続して設けてあって、斜面５８の幅はそれほど広くはないため、障子が強く室外側に加圧されて障子が大きく湾曲すれば、竪枠のガイド突条３１の先端が斜面５８から外れて斜状面５７に押し付けられ、そうなると戸先を障子面内方向に押す力が生ずるので戸先が外れるおそれがある。
【特許文献１】特開２００４−３０８２４１号公報
【発明の開示】
【発明が解決しようとする課題】
【０００４】
本発明は以上に述べた実情に鑑み、障子が室外側に強く加圧されたときでも、障子の戸先が外れるのを確実に防止することができるサッシの提供を目的とする。
【課題を解決するための手段】
【０００５】
上記の課題を達成するために請求項１記載の発明によるサッシは、枠体と、枠体内に左右方向に移動可能に収納した障子とを備え、枠体は、竪枠の内周側に突出片が設けてあり、障子は、戸先框に戸当りブロックが取付けてあり、戸当りブロックは、引き寄せ部と受け部を有し、引き寄せ部は、竪枠の突出片に当接して障子の戸先を室内側に引き寄せる傾斜面を有し且つ弾性力により室内外方向に変位自在であり、受け部は、竪枠の突出片の室内側面に隙間をあけて対向し且つ引き寄せ部が室内側に変位したときに突出片の室内側面を受けることを特徴とする。
【０００６】
請求項２記載の発明によるサッシは、請求項１記載の発明の構成に加え、戸当りブロックは、受け部の戸尻側に突出片の室内側面と隙間をあけて対向する逃げ面を有することを特徴とする。
【０００７】
請求項３記載の発明によるサッシは、逃げ面は、竪枠に向かうにつれて室外側に向かう斜面であることを特徴とする。
【発明の効果】
【０００８】
請求項１記載の発明によるサッシは、室外側が負圧になるなどして障子が室外側に加圧されると、戸当りブロックの引き寄せ部が室内側に変位し、それに伴って障子の戸先が室外側に移動する。これにより、障子の戸先の傾きが小さく抑えられ、戸先が障子面内方向に移動する量も小さくなるので、戸先を外れにくくすることができる。また、引き寄せ部が室内側に変位したときに、引き寄せブロックの受け部が突出片の室内側面を受けるので、引き寄せ部の破損を防止できると共に、受け部が突出片に係止して戸先が外れるのを防止できる。
【０００９】
さらに、請求項２記載の発明によるサッシは、戸当りブロックが、受け部の戸尻側に突出片の室内側面と隙間をあけて対向する逃げ面を有することで、障子が室外側に加圧されて受け部が突出片の室内側面を受けたときに、逃げ面が突出片から離間するため、戸先を障子面内方向に押す力が生ずるのを防ぐことができ、これにより戸当たりブロックが突出片に対してより一層外れにくくなり、戸先を外れにくくする効果を高めることができる。
【００１０】
請求項３記載の発明によるサッシは、逃げ面を竪枠に向かうにつれて室外側に向かう斜面とすることで、請求項２記載の発明と同様に、障子が室外側に加圧されて受け部が突出片の室内側面を受けたときに、斜面が突出片から離間して、戸先を障子面内方向に押す力が生ずるのを防ぎ、戸先を外れにくくすることができる。さらに、障子の室外側への加圧が大きくなり、斜面が突出片の室内側面に面接触したときには、戸先を障子面内方向に押す力が生じないことに加え、戸先がそれ以上室外側に傾くのを防ぐ作用がある。
【発明を実施するための最良の形態】
【００１１】
以下、本発明の実施の形態を図面に基づいて説明する。図９は、引き違いサッシの横断面図であり、この引き違いサッシは、上枠と下枠２４と左右の竪枠５ａ，５ｂを四周枠組みしてなる枠体２５が建物の躯体開口部に固定して設けられ、枠体２５内に内障子４ａと外障子４ｂが上下枠の長手方向に設けたレール２６ａ，２６ｂに沿って左右方向に移動自在に収納してある。左右の竪枠５ａ，５ｂは、内外障子４ａ，４ｂの戸先框９ａ，９ｂの外周側の溝１０内に挿入される突出片６ａ，６ｂが枠体内周側に突出して設けてある。内外障子の戸先框９ａ，９ｂには、戸当りブロック１ａ，１ｂが取付けてある。
【００１２】
戸先框９ａ，９ｂは、図２や図４に示すように、外周側に溝１０を有し、溝１０の室外側壁１１にはタイト材ホルダー１２を設け、タイト材ホルダー１２にタイト材１３が取付けてある。溝１０の室内側壁１４は、先端部が室外側に向けて曲げられており、戸当りブロック１ａ，１ｂの取り付け位置には、図４（ｂ）に示すように、切り欠き１５を設けてある。
【００１３】
図３は、内障子４ａの戸先框９ａに取付ける戸当りブロック１ａの第一実施形態を示している。戸当りブロック１ａは、硬質樹脂で一体成形され、戸先框９ａの溝１０の底部に配置される板状部１６と、板状部１６から戸先側に盛り上がる盛り上がり部１７とを有し、板状部１６と盛り上がり部１７とで平面視略Ｌ形の取付部３を形成している。
盛り上がり部１７の室外側見付面には、上部と下部に受け部２８，２８を有し、受け部２８，２８の間に引き寄せ部２を有している。受け部２８は、室内外方向に対して垂直な垂直面となっている。また、受け部２８と板状部１６とのコーナー部には、ガタ止め部２０が突出して形成してある。盛り上がり部１７の室内側の角部には、戸先框９ａの室内側壁１４の縁と嵌合する嵌合凹部２１が設けてある。
引き寄せ部２は、図３（ｂ）に示すように、盛り上がり部１７の上下方向中間部にコ字形の切れ目１８を形成することにより、図２（ｂ）と図３（ｄ）に示すように、盛り上がり部１７の頂部から竪枠５ａの突出片６ａの先端側に向けて室外側に斜めにのびる片持ちの板バネ状に形成してあり、その表面に竪枠５ａに向かうにつれて室内側に向かう傾斜面７を有している。引き寄せ部２は、受け部２８よりも室外側に突出しており、引き寄せ部の先端部は、上から見てガタ止め部２０と重なるようにしている。
戸当りブロック１ａ室内側の上下方向中間部には、板状部１６から戸先側に斜めにのびる取付け用弾性変形部２２を設けてある。取付け用弾性変形部２２は、先端部に戸先框９ａの切り欠き１５に嵌合する嵌合部２３を設けてある。
外障子４ｂ用の戸当りブロック１ｂは、上述の内障子４ａ用の戸当りブロック１ａと左右勝手違いになる。
【００１４】
戸当りブロック１ａを戸先框９ａの溝１０内に取付ける際には、図５（ａ）に示すように、溝１０の開口より板状部１６の先端をタイト材ホルダー１２と溝底面の間に差し込み、取付部３を溝底に向けて押し込めば、取付け用弾性変形部２２が弾性変形して溝１０内に全体が挿入され、挿入すると、図５（ｂ）に示すように、取付け用弾性変形部２２が復帰して嵌合部２３が戸先框９ａの切り欠き１５に嵌合するとともに、嵌合凹部２１に戸先框９ａの室内側壁１４の縁が嵌合して、取付部３が溝１０内に固定される。このように本戸当りブロック１ａは、戸先框９ａの溝１０内に障子外周側から簡単に取付けでき、且つビス止め等をしなくてもガタついたり移動したりすることなく安定に溝１０内に取り付けできる。
【００１５】
内障子４ａを閉める際には、図２（ａ）に示すように、戸当りブロック引き寄せ部２の傾斜面７に竪枠５ａの突出片６ａが当接することで、内障子４ａの戸先が室内側に徐々に引き寄せられ、内障子４ａを閉めきると、図２（ｂ）に示すように、戸当りブロック１ａのガタ止め部２０が竪枠５ａの突出片６ａの先端部の室内側に係止し、戸先のガタ付きが防止される。このとき、戸先框９ａに取付けたタイト材１３が竪枠５ａの突出片６ａの室外側面に密着することで、戸先框９ａと竪枠５ａの間からの風雨の浸入が阻止される。受け部２８と竪枠突出片６ａの室内側面との間には、隙間があいている。
【００１６】
図１（ａ）〜（ｃ）は、室外側が負圧になって内障子４ａが室外側に加圧されたときに戸先が動く様子を示している。内障子４ａを室外側に押す圧力Ｐは、（ａ）〜（ｃ）の順で大きい。内障子４ａを押す圧力Ｐが小さいときには、図１（ａ）に示すように、内障子４ａが室外側に膨らむように湾曲変形するのに伴い、戸先框９ａが戸当りブロック１ａと竪枠突出片６ａとの当接部を支点として室外側に若干傾く。内障子４ａを押す圧力Ｐがより大きくなると、図１（ｂ）に示すように、戸先框９ａは左側に僅かに移動して戸当りブロック１ａのガタ止め部２０が竪枠５ａの突出片６ａから外れ、その後、戸当りブロック１ａの引き寄せ部２が竪枠５ａの突出片６ａに押されて室内側に曲がるように弾性変形し、それに伴って戸先框９ａが室外側にまっすぐ移動する。内障子４ａを押す圧力Ｐがさらに大きくなると、図１（ｃ）に示すように、戸当りブロック１ａの引き寄せ部２がさらに室内側に曲がって傾斜面７が突出片６ａの室内側面に面接触し、戸先框９ａは室外側にさらに移動し、戸当りブロック１ａの受け部２８が突出片６ａの室内側面を受ける。戸先框９ａの傾き角度は、（ａ）〜（ｃ）の間でほとんど変わらない。なお、戸先框９ａが室外側に移動してタイト材１３が竪枠５ａの突出片６ａから離れても、室外側が負圧になっている関係で風雨が室内側に吹き込まない。
【００１７】
このように本戸当りブロック１ａは、内障子４ａを押す圧力Ｐが大きくなっても、引き寄せ部２が弾性変形して室内側に変位し、それに伴って戸先框９ａが室外側に移動するため、戸先框９ａの傾きを小さく抑えることができ、戸先が障子面内方向に移動する量も小さくなるので、戸先框９ａを竪枠５ａから外れにくくする働きがある。また、引き寄せ部２の傾斜面７が竪枠の突出片６ａの室内側面に面接触するために、引き寄せ部２から突出片に加えられる荷重Ｆ１が分散されず、戸先を障子面内方向に押す力が生じないので、このことからも戸先が外れにくくなる。さらに本戸当りブロック１ａは、引き寄せ部２の上方と下方に受け部２８が設けてあることで、引き寄せ部２が曲がりすぎるのを防止できると共に、引き寄せ部２と受け部２８とに荷重が分散されるので、引き寄せ部２の破損を防止できる。また受け部２８が突出片６ａに係止することにより、戸先が外れるのを防止できる。受け部２８には、戸先を室内側に引き寄せるための傾斜面７を設ける必要がないので、受け部２８の幅を広くとることができ、これにより突出片６ａとの掛かり量が大きくなるので、戸先が外れるのを確実に防止できる。
【００１８】
外障子４ｂについても、内障子４ａの場合と同様である。すなわち、外障子４ｂを閉める際には、戸当りブロック１ｂの引き寄せ部２の傾斜面７に竪枠５ｂの突出片６ｂが当接して、戸先が室内側に引き寄せられる。室外側が負圧になって外障子４ｂが室外側に加圧されると、戸当りブロック１ｂの引き寄せ部２が竪枠５ｂの突出片６ｂに押されて室内側に弾性変形して戸先が室外側に移動し、これにより戸先の傾きが小さく抑えられるため、戸先が竪枠５ｂから外れにくくなる。
【００１９】
図６は、本発明による戸当りブロック１の第二実施形態を示しており、図７は、この戸当りブロック１を使用した場合の引き違いサッシ戸当たり部の横断面図、図８は、同じく引き違いサッシ戸当たり部の横断面図であって、室外側が負圧となって内障子４ａが室外側に加圧されたときの状態（第一実施形態における図１（ｃ）の状態に相当）を示している。
この戸当りブロック１ａは、図７に示すように、受け部２８の戸尻側からガタ止め部２０の間に、竪枠５ａに向かうにつれて室外側に向かう斜面８を設けてある。斜面８の傾きは、１２°前後にしている。他の部分は、第一実施形態のものとほとんど同じである。この戸当りブロック１によれば、図８に示すように、内障子４ａが室外側に加圧され、戸当りブロック１ａの引き寄せ部２が室内側に変位して受け部２８が突出片６ａの室内側面を受けたときに、斜面８が突出片６ａから離間し、突出片６ａの先端が戸当たりブロック１ａに室内側に向けて押し付けられないため、受け部２８から突出片に加えられる荷重Ｆ２が分散されず、戸先を障子面内方向に押す力が生じないので、戸先をより一層確実に外れにくくすることができる。また、受け部２８に戸先を室内側に引き寄せるための傾斜面を設ける必要がないので、斜面８の幅を広くとることができ、これにより突出片６ａとの掛かり量が大きくなるので、戸先が外れるのを確実に防止できる。内障子４ａを室外側に押す圧力Ｐが図８の状態よりもさらに強くなると、内障子４ａの戸先がさらに室外側に傾き、斜面８と突出片６ａの室内側面とが面接触する。斜面８が突出片６ａの室内側面に面接触したときには、戸先を障子面内方向に押す力が生じないことに加え、戸先がそれ以上室外側に傾くのを防ぐ作用がある。
【００２０】
第二実施形態において、斜面８の傾きをより小さい角度（例えば５°前後）とし、内障子４ａの室外側への加圧がより小さい段階で斜面８が突出片６ａの室内側面に面接触するようにすることもできる。
【００２１】
本発明は、以上に述べた実施形態に限定されない。戸当りブロックの引き寄せ部の傾斜面は、湾曲した傾斜面であってもよい。引き寄せ部は、戸先框外周の溝の底部側から戸先側に向かってのびる形状であってもよい。戸当りブロックの受け部は、引き寄せ部の上方又は下方のいずれか一方にのみ設けてもよい。引き寄せブロックの逃げ面は、図１０に示すように、受け部２８の戸尻側に凹部を形成し、凹部の底面にあたる室内外方向に対して垂直な面を逃げ面２９とすることもできる。本発明のサッシは、片引きサッシにも適用できる。
【図面の簡単な説明】
【００２２】
【図１】第一実施形態に係る戸当りブロックの使用状態を示す引き違いサッシ戸当たり部の横断面図であって、（ａ）〜（ｃ）の順に障子が徐々に強い圧力で室外側に加圧された場合に、戸先が動く様子を示している。
【図２】第一実施形態に係る戸当りブロックの使用状態を示す引き違いサッシ戸当たり部の横断面図であって、（ａ）は障子を閉めきる前の状態、（ｂ）は障子を閉めきったときの状態を示している。
【図３】（ａ）は第一実施形態に係る戸当りブロックの平面図、（ｂ）は同正面図、（ｃ）は同側面図、（ｄ）はＡ−Ａ断面図、（ｅ）はＢ−Ｂ断面図である。
【図４】（ａ）は第一実施形態に係る戸当りブロックを障子の戸先框に取付けた状態を示す平面図、（ｂ）は同正面図である。
【図５】（ａ）は第一実施形態に係る戸当りブロックを戸先框の溝内に取付ける際の状態を示す横断面図、（ｂ）は取付後の状態の横断面図である。
【図６】（ａ）は第二実施形態に係る戸当りブロックの平面図、（ｂ）は同正面図、（ｃ）は同側面図、（ｄ）はＡ−Ａ断面図、（ｅ）はＢ−Ｂ断面図である。
【図７】第二実施形態に係る戸当りブロックの使用状態を示す引き違いサッシ戸当たり部の横断面図である。
【図８】第二実施形態に係る戸当りブロックの使用状態を示す引き違いサッシ戸当たり部の横断面図であって、障子が室外側に加圧されたときの状態を示している。
【図９】本発明の引き違いサッシの横断面図である。
【図１０】戸当りブロックの他の実施形態を示す引き違いサッシ戸当たり部の横断面図であって、障子が室外側に加圧されたときの状態を示している。
【図１１】従来の引き違いサッシ戸当たり部の横断面図であって、（ａ）は障子を閉めきったときの状態、（ｂ）は障子が室外側に加圧されたときの状態を示している。
【符号の説明】
【００２３】
１ａ，１ｂ  戸当りブロック
２  引き寄せ部
３  取付部
４ａ  内障子（障子）
４ｂ  外障子（障子）
５ａ，５ｂ  竪枠
６ａ，６ｂ  突出片
７  傾斜面
８  斜面（逃げ面）
２８  受け部
２９  逃げ面
【図１】
0004747884.tif 000002
【図２】
0004747884.tif 000003
【図３】
0004747884.tif 000004
【図４】
0004747884.tif 000005
【図５】
0004747884.tif 000006
【図６】
0004747884.tif 000007
【図７】
0004747884.tif 000008
【図８】
0004747884.tif 000009
【図９】
0004747884.tif 000010
【図１０】
0004747884.tif 000011
【図１１】
0004747884.tif 000012